(57)【要約】  回路は、低ノイズ増幅器（ＬＮＡ）、受動スイッチングコア（ＰＳＣ）、トランスインピーダンス増幅器フィルタ（ＴＩＡフィルタ）及び第１Ｚｄｅｇネットワーク入力リード、第２Ｚｄｅｇネットワーク入力リード、第１Ｚｄｅｇネットワーク出力リード、第２Ｚｄｅｇネットワーク出力リードを有し、該第１Ｚｄｅｇネットワーク入力リードは該ＬＮＡの該第１出力リードに結合され且つ該第２Ｚｄｅｇネットワーク入力は該ＬＮＡの第２出力リードに結合され、第１Ｚｄｅｇネットワーク出力リードは該ＰＳＣの該第１信号入力リードに結合され且つ該第２Ｚｄｅｇネットワーク出力は該ＰＳＣの該第２信号入力リードに結合されている、変性インピーダンス利得調整ネットワーク（Ｚｄｅｇネットワーク）を含む。該ＬＮＡ、該Ｚｄｅｇネットワーク、該ＰＳＣおよび該ＴＩＡフィルタはともに受信機を形成する。受信機利得は該Ｚｄｅｇネットワークにて調整される。
2011530242.tif 000002
【特許請求の範囲】
【請求項１】
回路は以下を具備すること：
第１の出力リードおよび第２の出力リードを有する低ノイズ増幅器（ＬＮＡ）；
第１の信号入力リード、第２の信号入力リード、第１の信号出力リード、第２の信号出力リード、第１のローカルオシレータ入力リードおよび第２のローカルオシレータ入力リードを有する受動スイッチングコア（ＰＳＣ）；
第１の入力リード、第２の入力リード、第１の出力リードおよび第２の出力リードを有するトランスインピーダンス増幅器フィルタ（ＴＩＡフィルタ）；
第１のＺｄｅｇネットワーク入力リード、第２のＺｄｅｇネットワーク入力リード、第１のＺｄｅｇネットワーク出力リードおよび第２のＺｄｅｇネットワーク出力リードを有し、ここにおいて、前記第１のＺｄｅｇネットワーク入力リードは前記ＬＮＡの前記第１の出力リードに結合され且つ前記第２のＺｄｅｇネットワーク入力は前記ＬＮＡの第２の出力リードに結合され、および、ここにおいて、前記第１のＺｄｅｇネットワーク出力リードは前記ＰＳＣの前記第１の信号入力リードに結合され且つ前記第２のＺｄｅｇネットワーク出力は前記ＰＳＣの前記第２の信号入力リードに結合されている、変性インピーダンス利得調整ネットワーク（Ｚｄｅｇネットワーク）；
ここにおいて、前記ＬＮＡ、前記Ｚｄｅｇネットワーク、前記ＰＳＣおよび前記ＴＩＡフィルタはともに受信機を形成し、および、ここにおいて、受信機利得は前記Ｚｄｅｇネットワークによって調整される。
【請求項２】
請求項１の回路において、前記Ｚｄｅｇネットワークは複数の変性インピーダンス要素（複数のＺｄｅｇ）を具備してなり、ここにおいて、各Ｚｄｅｇは第１のＺｄｅｇリードおよび第２のＺｄｅｇリードを具備している。
【請求項３】
請求項２の回路において、各Ｚｄｅｇはさらにトランジスタを具備してなり、それによって各Ｚｄｅｇはターンオンおよびターンオフされる。
【請求項４】
請求項３の回路において、前記受信機利得は、一つまたは複数の前記Ｚｄｅｇをオンまたはオフにターンすることにより、調整される。
【請求項５】
請求項２の回路において、前記前記Ｚｄｅｇの各々は、直列に結合されたトランジスタ、抵抗およびトランジスタ、および、直列に結合されたキャパシタおよびトランジスタからなるグループから選ばれる。
【請求項６】
請求項１の回路において、前記ＬＮＡの前記第１および第２の出力リードと前記ＰＳＣの前記第１および第２の入力リードとの間の信号経路に配置された能動ｇｍセルは無い。
【請求項７】
請求項６の回路において、前記ＰＳＣは、
前記第１のＺｄｅｇネットワーク出力リードに結合された第１のターミナル、前記ＴＩＡの前記第１の入力リードに結合された第２のターミナルおよび前記ＰＳＣの前記第１のローカルオシレータ入力リードに結合された第３のゲートターミナルを有する第１の電界効果トランジスタ（ＦＥＴ）、
前記第１のＺｄｅｇネットワーク出力リードに結合された第１のターミナル、前記ＴＩＡの前記第２の入力リードに結合された第２のターミナルおよび前記ＰＳＣの前記第２のローカルオシレータ入力リードに結合された第３のゲートターミナルを有する第２のＦＥＴ、
前記第２のＺｄｅｇネットワーク出力リードに結合された第１のターミナル、前記ＴＩＡの前記第１の入力リードに結合された第２のターミナルおよび前記ＰＳＣの前記第２のローカルオシレータ入力リードを受けるように（receive）結合された第３のゲートターミナルを有する第３のＦＥＴ、
前記第２のＺｄｅｇネットワーク出力リードに結合された第１のターミナル、前記ＴＩＡの前記第２の入力リードに結合された第２のターミナルおよび前記ＰＳＣの前記第１のローカルオシレータ入力リードを受けるように（receive）結合された第３のターミナルを有する第４のＦＥＴ、
を含む。
【請求項８】
請求項６の回路において、前記ＴＩＡフィルタは、フィルタ特性を有し、そして、前記受信機内でベースバンドフィルタとして仕える。
【請求項９】
請求項１の回路において、前記受信機はセルラ電話内の受信機である。
【請求項１０】
請求項６の回路において、前記ＰＳＣの前記第１のローカルオシレータ入力リード上の第１のローカルオシレータ信号は５０パーセントの時間以下の間がアクティブであり、および、ここにおいて、前記ＰＳＣの前記第２のローカルオシレータ入力リード上の第２のローカルオシレータ信号は５０パーセントの時間以下の間がアクティブである。
【請求項１１】
請求項６の回路において、前記Ｚｄｅｇネットワークは、複数のインピーダンスの一つを有するためにプログラム可能である。
【請求項１２】
無線デバイスは以下を具備すること：
送信機；
受信機，ここにおいて、前記受信機は以下を具備すること：
第１の出力リードおよび第２の出力リードを有する低ノイズ増幅器（ＬＮＡ）；
第１の信号入力リード、第２の信号入力リード、第１の信号出力リード、第２の信号出力リード、第１のローカルオシレータ入力リードおよび第２のローカルオシレータ入力リードを有する受動スイッチングコア（ＰＳＣ）；
第１の入力リード、第２の入力リード、第１の出力リードおよび第２の出力リードを有するトランスインピーダンス増幅器フィルタ（ＴＩＡフィルタ）；
第１のＺｄｅｇネットワーク入力リード、第２のＺｄｅｇネットワーク入力リード、第１のＺｄｅｇネットワーク出力リードおよび第２のＺｄｅｇネットワーク出力リードを有し、ここにおいて、前記第１のＺｄｅｇネットワーク入力リードは前記ＬＮＡの前記第１の出力リードに結合され且つ前記第２のＺｄｅｇネットワーク入力は前記ＬＮＡの第２の出力リードに結合され、および、ここにおいて、前記第１のＺｄｅｇネットワーク出力リードは前記ＰＳＣの前記第１の信号入力リードに結合され且つ前記第２のＺｄｅｇネットワーク出力は前記ＰＳＣの前記第２の信号入力リードに結合されている、変性インピーダンス利得調整ネットワーク（Ｚｄｅｇネットワーク）；
ここにおいて、前記ＬＮＡ、前記Ｚｄｅｇネットワーク、前記ＰＳＣおよび前記ＴＩＡフィルタはともに受信機を形成し、および、ここにおいて、受信機利得は前記Ｚｄｅｇネットワークによって調整される
【請求項１３】
請求項１２の無線デバイスにおいて、前記Ｚｄｅｇネットワークは複数の変性インピーダンス要素（複数のＺｄｅｇ）を具備してなり、ここにおいて、各Ｚｄｅｇは第１のＺｄｅｇリードおよび第２のＺｄｅｇリードを具備している。
【請求項１４】
請求項１３の無線デバイスにおいて、各Ｚｄｅｇはさらにトランジスタを具備してなり、それによって各Ｚｄｅｇはターンオンおよびターンオフされる。
【請求項１５】
請求項１４の無線デバイスにおいて、前記受信機利得は、一つまたは複数の前記Ｚｄｅｇをオンまたはオフにターンすることにより、調整される。
【請求項１６】
請求項１３の無線デバイスにおいて、前記前記Ｚｄｅｇの各々は、直列に結合されたトランジスタ、抵抗およびトランジスタ、および、直列に結合されたキャパシタおよびトランジスタからなるグループから選ばれる。
【請求項１７】
請求項１２の無線デバイスにおいて、前記ＬＮＡの前記第１および第２の出力リードと前記ＰＳＣの前記第１および第２の入力リードとの間の信号経路に配置された能動ｇｍセルは無い。
【請求項１８】
請求項１７の無線デバイスにおいて、前記ＰＳＣは、
前記第１のＺｄｅｇネットワーク出力リードに結合された第１のターミナル、前記ＴＩＡの前記第１の入力リードに結合された第２のターミナルおよび前記ＰＳＣの前記第１のローカルオシレータ入力リードに結合された第３のゲートターミナルを有する第１の電界効果トランジスタ（ＦＥＴ）、
前記第１のＺｄｅｇネットワーク出力リードに結合された第１のターミナル、前記ＴＩＡの前記第２の入力リードに結合された第２のターミナルおよび前記ＰＳＣの前記第２のローカルオシレータ入力リードに結合された第３のゲートターミナルを有する第２のＦＥＴ、
前記第２のＺｄｅｇネットワーク出力リードに結合された第１のターミナル、前記ＴＩＡの前記第１の入力リードに結合された第２のターミナルおよび前記ＰＳＣの前記第２のローカルオシレータ入力リードを受けるように（receive）結合された第３のゲートターミナルを有する第３のＦＥＴ、
前記第２のＺｄｅｇネットワーク出力リードに結合された第１のターミナル、前記ＴＩＡの前記第２の入力リードに結合された第２のターミナルおよび前記ＰＳＣの前記第１のローカルオシレータ入力リードを受けるように（receive）結合された第３のゲートターミナルを有する第４のＦＥＴ、
を含む。
【請求項１９】
請求項１８の無線デバイスにおいて、前記ＴＩＡフィルタは、フィルタ特性を有し、そして、前記受信機内でベースバンドフィルタとして仕える。
【請求項２０】
請求項１２の無線デバイスにおいて、前記受信機はセルラ電話内の受信機である。
【請求項２１】
請求項１７の無線デバイスにおいて、前記ＰＳＣの前記第１のローカルオシレータ入力リード上の第１のローカルオシレータ信号は５０パーセントの時間以下の間がアクティブであり、ここにおいて、前記ＰＳＣの前記第２のローカルオシレータ入力リード上の第２のローカルオシレータ信号は５０パーセントの時間以下の間がアクティブである。
【請求項２２】
請求項１７の無線デバイスにおいて、前記Ｚｄｅｇネットワークは、複数のインピーダンスの一つを有するためにプログラム可能である。
【請求項２３】
請求項１２の無線デバイスにおいて、前記無線デバイスはハンドセットである。
【請求項２４】
回路は以下を具備すること：
受動ミキサを含み、能動ｇｍセルを含まないＳＡＷレス受信機チェーン，ここにおいて、前記ＳＡＷレス受信機は、前記ＳＡＷレス受信機は、低ノイズ増幅器（ＬＮＡ）、前記受動ミキサ、および、前記受動ミキサからの信号出力を受信するトランスインピーダンス増幅器フィルタ（ＴＩＡフィルタ）を含む；および
増前記ＬＮＡと前記受動ミキサとの間の信号経路にインピーダンスを供給するための手段、ここにおいて、受信機利得はインピーダンスを提供するための前記手段によりコントロールされる。
【請求項２５】
請求項２４の回路において、前記インピーダンスは変性インピーダンス利得調整ネットワーク（Ｚｄｅｇネットワーク）を具備する。
【請求項２６】
請求項２５の回路において、前記Ｚｄｅｇネットワークは複数の変性インピーダンス要素（複数のＺｄｅｇ）を具備し、ここにおいて、各Ｚｄｅｇは第１のＺｄｅｇリードおよび第２のＺｄｅｇリードを具備する。
【請求項２７】
請求項２６の回路において、一つまたは複数の前記Ｚｄｅｇをオンまたはオフにターンすることにより、前記受信機利得を調整するための手段をさらに具備していること。
【請求項２８】
受信機の利得を調整するための方法、前記方法は以下を具備すること：
変性インピーダンス利得調整ネットワーク（Ｚｄｅｇネットワーク）であって、第１のＺｄｅｇネットワーク入力リード、第２のＺｄｅｇネットワーク入力リード、第１のＺｄｅｇネットワーク出力リードおよび第２のＺｄｅｇネットワーク出力リードを有し、ここにおいて、前記第１のＺｄｅｇネットワーク入力リードは低ノイズ増幅器（ＬＮＡ）の第１の出力リードに結合され且つ前記第２のＺｄｅｇネットワーク入力は前記ＬＮＡの第２の出力リードに結合され、および、ここにおいて、第１のＺｄｅｇネットワーク出力リードは受動スイッチングコア（ＰＳＣ）の第１の信号入力リードに結合され且つ前記第２のＺｄｅｇネットワーク出力は前記ＰＳＣの第２の信号入力リードに結合されている、前記Ｚｄｅｇネットワークを、一つまたは複数のトランジスタとともに提供すること；
第１の入力リード、第２の入力リード、第１の出力リードおよび第２の出力リードを有するトランスインピーダンス増幅器フィルタ（ＴＩＡフィルタ）を提供すること；および
一つまたは複数のトランジスタをオンまたはオフにスイッチングすることにより、受信機の前記利得を調整すること、ここにおいて、前記ＬＮＡ、前記Ｚｄｅｇネットワーク、前記ＰＳＣおよび前記ＴＩＡフィルタはともに受信機を形成している。
【発明の詳細な説明】
【技術分野】
【０００１】
本開示は一般に無線通信システムに関する。より詳細には、本開示は利得調整ネットワークを介して受信機の利得を調整するためのシステムおよび方法に関する
【背景技術】
【０００２】
無線通信デバイスは、消費者の要求に満たし、そして、携帯性および利便性を向上するために、より小さく、そして、より高性能になってきている。消費者は、セルラフォン、携帯型個人情報端末（ＰＤＡ）、ラップトップコンピュータなどの無線通信デバイスに頼るようになってきている。消費者は、信頼性のあるサービス、広い面積のカバレッジおよび機能増加を期待するようになってきている。無線通信デバイスは、モバイルステーション、ステーション、アクセス端末、ユーザー端末、端末、加入者ユニット、ユーザー機器などとも呼ばれることがある。
【０００３】
無線通信システムは同時に多数の無線通信デバイスに対して通信をサポートする可能性もある。無線通信デバイスは、アップリンクおよびダウンリンク上での通信を介して、一つまたは複数の基地局（あるいはアクセスポイント、Node Bなどとも呼ばれる）と通信する可能性もある。アップリンク（またはリバースリンク）は無線通信デバイスから基地局への通信リンクをさし、そして、ダウンリンク（またはフォワードリンク）は基地局から無線通信デバイスへの通信リンクをさす。
【０００４】
無線通信システムは、使用可能なシステムリソース（例えば、帯域幅、送信パワー）を共用することにより、複数の(multiple)ユーザとの通信をサポートするための多元接続システム(multiple-access systems)とすることができる。そのような多元接続システムの例は、符号分割多元接続（ＣＤＭＡ）システム、グローバル・システム・フォー・モバイル・コミュニケーションズ（ＧＭＳ）システム、広帯域符号分割多元接続（ＷＣＤＭＡ）システム、時分割多元接続（ＴＤＭＡ）システム、周波数分割多元接続（ＦＤＭＡ）システムおよび直交周波数分割多元接続（ＯＦＤＭＡ）システムを含むことができる。
【図面の簡単な説明】
【０００５】
【図１】図１は、受動ミキサを含むＳＡＷレス（SAW-less）受信機の一タイプの図である。
【図２】図２は、高線形高利得モードの動作における図１の受信機についてのパフォーマンス特性を説明するテーブルである。
【図３】図３は、低ノイズＳＡＷレス受信機を採用したセルラフォンの一例を示すブロック図である。
【図４】図４は、図３のＲＦ送受信機集積回路の一例を示すブロック図である。
【図５】図５は、図４の低ノイズ増幅器（ＬＮＡ）、変性インピーダンス（degenerative-impedance）利得調整ネットワーク、受動ミキサおよびトランスインピーダンス（transimpedance）（ＴＩＡ）フィルタ（ＴＩＡ−フィルタ）を示すブロック図である。
【図６】図６は、変性インピーダンス利得調整ネットワークのさらなるコンフィギュレーションを示すブロック図である。
【図７】図７は、変性インピーダンス利得調整ネットワークにおいて利用されることができるコンポーネントの例を示している。
【図８】図８は、変性インピーダンス利得調整ネットワークにおいて利用されることができるコンポーネントの別の例を示している。
【図９】図９は、変性インピーダンス利得調整ネットワークにおいて利用されることができるコンポーネントの別のコンフィギュレーションを示している。
【図１０】図１０は、受信機内のＬＮＡとミキサとの間の抵抗コンポーネントを有する変性インピーダンス利得調整ネットワークのコンフィギュレーションの一例を示すブロック図である。
【図１１】図１１は、受信機内のＬＮＡとミキサとの間の容量コンポーネントを有する変性インピーダンス利得調整ネットワークのコンフィギュレーションの一例を示すブロック図である。
【図１２】図１１は、受信機内のＬＮＡとミキサとの間のスイッチングコンポーネントを有する変性インピーダンス利得調整ネットワークのコンフィギュレーションの一例を示すブロック図である。
【図１３】図１３は、受信機の利得を調整するための方法の一例を示すフロー図である。
【図１４】図１４は、図１３に示された方法に対応するミーンズ・プラス・ファンクションのブロックを示している。
【図１５】図１５は、無線デバイスにおいて利用されることができるさまざまなコンポーネントを示している。
【発明を実施するための形態】
【０００６】
セルラフォン受信機を実現するためのいくつかの異なった回路トポロジーがある。あるトポロジーは、低ノイズ増幅器（ＬＮＡ）とミキサとの間の到来（incoming）無線周波数（ＲＦ）信号経路（signal path）内に配置された、弾性表面波（ＳＡＷ）フィルを含む。いささか高価で大きなＳＡＷデバイスを用いずに、十分なパフォーマンスのセルラフォン受信機を実現することがおそらく望ましい。他のトポロジーは、アンテナとＬＮＡとの間のマッチングネットワーク内において、高品質でいくぶん高価なＬＮＡマッチングインダクタを用いることがある。この高価なコンポーネントを用いるのではなくて、むしろ、より費用のかからない低品質なコンポーネントを用いることにより、受信機を実現することもおそらく望ましい。ＳＡＷレス受信機において良い直線性を達成するために、純粋に受動ダウンコンバーティングミキサがときには用いられる（つまり、能動トランスコンダクタンス増幅器（active transconductance amplifier）（ｇｍ−セル）がないミキサ）。しかしながら、ＬＮＡ、受動ミキサおよびベースバンドトランスインピーダンス増幅器（baseband transimpedance-amplifier ）（ＴＩＡ）からなる、このトポロジーにとっては、グローバル・システム・フォー・モバイル・コミュニケーションズ（ＧＭＳ）および広帯域符号分割多元接続（ＷＣＤＭＡ）のモードの動作における、ゲイン・ステッピング要求を満足し、その上に優良な雑音指数（ＮＦ）および線形性を達成することは、多くの場合、困難である。
【０００７】
一つのコンフィギュレーションにおいて、エクストラ（extra）利得ステッピングは、同じ１×信号経路（４利得モード）を再利用するために、ＵＭＢ／ＬＴＥ（Ultra Mobile Broadband/Long term Evolution）（６利得モード）に対してもおそらく望まれる。ここにおけるシステムおよび方法は、受信機の他のコンポーネントの特性を大幅に低下させることなく、全ての動作の利得モード（および基準）にわたって、優良な受信機ＮＦパフォーマンスを可能とする。ＬＮＡおよびベースバンドＴＩＡフィルタのパフォーマンスは、各受信利得モード上で、きつくはコントロールされない可能性がある。ステージ間ＬＮＡミキサ受動利得調整ネットワークを用いると、受信機雑音指数へのＴＩＡノイズの寄与を小さくとどめるとともに、受信機利得はシステム要求に従って変えられることができる。
【０００８】
同じＣＤＭＡ１×信号経路を用いて、ＧＳＭ（登録商標）／ＷＣＤＭＡ／ＵＭＢ／ＬＴＥモードの動作における利得ステッピング要求を満足するために、ＬＮＡバイアス電流とマッチングネットワークとＴＩＡフィルタ抵抗／容量ネットワークとはきつくコントロールされる可能性がある。しかしながら、これは、システム利得がＬＮＡおよびＴＩＡフィルタを介してしばしば変えられるので、受信機ノイズと直線性特性要求との間にトレードオフをもたらす可能性がある。いくつかの例では、システムの利得がダウンコンバーティングミキサ（つまり、ゲイン・ステッピングミキサ）によって変えられると、システム雑音指数特性は大幅に低下する可能性がある。言い換えれば、システム雑音指数へのＴＩＡノイズの寄与は、ひとまとめにした他の受信機ノイズの寄与よりも大きくなるかもしれない。
【０００９】
回路について説明する。回路は、低ノイズ増幅器（ＬＮＡ）、受動スイッチングコア（ＰＳＣ）、トランスインピーダンス増幅フィルタ（ＴＩＡフィルタ）、および、第１のＺｄｅｇネットワーク入力リード（lead）、第２のＺｄｅｇネットワーク入力リード、第１のＺｄｅｇネットワーク出力リードおよび第２のＺｄｅｇネットワーク出力リードを有する変性インピーダンス利得調整ネットワーク（Ｚｄｅｇネットワーク）を含み、ここにおいて、第１のＺｄｅｇネットワーク入力リードはＬＮＡの第１の出力リードに結合されており、そして、第２のＺｄｅｇネットワーク入力リードはＬＮＡの第２の出力リードに結合されており、かつ、ここにおいて、第１のＺｄｅｇネットワーク出力リードはＰＳＣの第１の信号入力リードに結合され、そして、第２のＺｄｅｇネットワーク出力リードはＰＳＣの第２信号入力リードに結合されている。ＬＮＡ、Ｚｄｅｇネットワーク、ＰＳＣおよびＴＩＡフィルタはともに受信機を形成する。受信機利得はＺｄｅｇネットワークによって調整される。
【００１０】
無線デバイスについて説明する。前記デバイスは送信機および受信機を含む。受信機は、第１の出力リードおよび第２の出力リードを有する低ノイズ増幅器（ＬＮＡ）、第１の信号入力リード、第２の信号入力リード、第１の信号出力リード、第２の信号出力リード、第１のローカルオシレータ入力リードおよび第２のローカルオシレータ入力リードを有する受動スイッチングコア（ＰＳＣ）を含む。受信機はまた第１の入力リード、第２の入力リード、第１の出力リードおよび第２の出力リードを有するトランスインピーダンス増幅フィルタ（ＴＩＡ）を含む。受信機は、さらに、第１のＺｄｅｇネットワーク入力リード、第２のＺｄｅｇネットワーク入力リード、第１のＺｄｅｇネットワーク出力リードおよび第２のＺｄｅｇネットワーク出力リードを有する変性インピーダンス利得調整ネットワーク（Ｚｄｅｇネットワーク）を含む。第１のＺｄｅｇネットワーク入力リードはＬＮＡの第１の出力リードに結合されており、そして、第２のＺｄｅｇネットワーク入力リードはＬＮＡの第２の出力リードに結合されている。第１のＺｄｅｇネットワーク出力リードはＰＳＣの第１の信号入力リードに結合され、そして、第２のＺｄｅｇネットワーク出力リードはＰＳＣの第１２信号入力リードに結合されている。ＬＮＡ、Ｚｄｅｇネットワーク、ＰＳＣおよびＴＩＡフィルタはともに受信機を形成する。受信機利得はＺｄｅｇネットワークによって調整される。
【００１１】
回路についてまた説明する。回路は、受動ミキサを有し、そして、能動ｇｍセルを有さないＳＡＷレス受信チェーン（chain）を含む。ＳＡＷレス受信機は、低ノイズ増幅器（ＬＮＡ）、受動ミキサ、および、受動ミキサから信号出力を受信するトランスインピーダンス増幅器（ＴＩＡ）を含む。回路は、さらに、ＬＮＡと受動ミキサとの間の信号経路にインピーダンスを提供する手段を含む。受信機利得はインピーダンスを提供するための前記手段によりコントロールされる。
【００１２】
受信機の利得を調整するための方法についても説明する。一つまたは複数のトランジスタを用い、そして、第１のＺｄｅｇネットワーク入力リード、第２のＺｄｅｇネットワーク入力リード、第１のＺｄｅｇネットワーク出力リードおよび第２のＺｄｅｇネットワーク出力リードを有する変性インピーダンス利得調整ネットワーク（Ｚｄｅｇネットワークが提供される。第１のＺｄｅｇネットワーク入力リードは低ノイズ増幅器（ＬＮＡ）の第１の出力リードに結合されており、そして、第２のＺｄｅｇネットワーク入力リードはＬＮＡの第２の出力リードに結合されている。第１のＺｄｅｇネットワーク出力リードは受動スイッチングコアＰＳＣ（ＰＳＣ）の第１の信号入力リードに結合され、そして、第２のＺｄｅｇネットワーク出力リードはＰＳＣの第２信号入力リードに結合されている。第１の入力リード、第２の入力リード、第１の出力リードおよび第２の出力リードを有するトランスインピーダンス増幅フィルタ（ＴＩＡフィルタ）が提供される。受信機の利得は、一つまたは複数のトランジスタをオンまたはオフに切り替えることにより調整される。ＬＮＡ、Ｚｄｅｇネットワーク、ＰＳＣおよびＴＩＡフィルタはともに受信機を形成する。
【００１３】
図１は、受動ミキサを採用し、そして、能動ｇｍセルを採用していないＳＡＷレス受信機の図である。受信機回路１は、アンテナ２、差動送受信切り替え器（differential duplexer）３、インピーダンスマッチングネットワーク４および集積回路５を含む。集積回路５は同様にＬＮＡ６を含み、そして、このＬＮＡは、二つのターミナル７および８を介して、マッチングネットワーク４からの到来（incoming）ＲＦ信号を受信するために結合されていても構わない。ＬＮＡ６の二つの差動出力リード９および１０は受動ミキサ１１に結合されても構わない。ミキサ１１へのＬＮＡ６の結合は、到来ＲＦ信号の周波数にて実効的な短絡である大きな容量を有するバイパスキャパシタを介した、容量性結合でも構わない。
【００１４】
受動ミキサ１１は二つの部分を有していても構わない。一の部分(Ｉ−経路スイッチングコア)は、トランスインピーダンス増幅器およびフィルタ１２（Ｉ−経路ＴＩＡフィルタ）の第１のパートに、差動信号（Ｉ）の第１の組を供給しても構わない。このＴＩＡフィルタ１２の第１のパートは出力リード１３および１４上に信号Ｉ＋およびＩ−を出力する。受動ミキサ１１の第２の部分（Ｑ−経路スイッチングコア）は、ＴＩＡフィルタ１２（Ｑ−経路 ＴＩＡフィルタ）に、Ｑ差動信号の第２の組を供給しても構わない。ＴＩＡフィルタ１２の第２のパートは出力リード１５および１６上に信号Ｑ＋およびＱ−を出力する。残念ながら、図１のＳＡＷレス受動ミキサ受信機トポロジーを採用して、そしてまた同時に優良な線形性および消費電力の特性を維持しながら厳しいノイズ要求を満たすことはおそらく難しい。
【００１５】
図２は、高線形高利得モードの動作における図１の回路についてのさまざまなパフォーマンス特性を説明するテーブルである。マッチングネットワーク４内に高品質かつ高価なディスクリートＬＮＡ入力マッチングインダクタを提供することなく、そして、ＬＮＡ６の消費電流を増加することなく、回路の雑音指数（ＮＦ）を低減することが望ましい。
【００１６】
図３は、モバイル通信デバイス２０のブロック図である。この例では、モバイル通信デバイス２０は、ＷＣＤＭＡセルラフォン通信プロトコルを用いるセルラフォンで構わない。セルラフォンは、アンテナ２１、および、二つの集積回路２２および２３を含んでも（その他のパーツは示していない）構わない。集積回路２３は、「デジタルベースバンド回路」または「ベースバンドプロセッサ集積回路」と呼ばれることがある。集積回路２２はＲＦ送受信機集積回路とすることができる。ＲＦ送受信機集積回路２２は、受信機だけではなく送信機を含んでいるので「送信機」と呼ばれることがある。
【００１７】
図４は、図３のＲＦ送受信機集積回路のブロック図である。受信機は、ローカルオシレータ３３だけではなく受信チェーン（chain）２４を含んでも構わない。セルラフォンが受信している時、高周波数ＲＦ信号２５はアンテナ２１で受信することができる。ＲＦ信号２５の一例をあげればＭＨｚ以上の周波数範囲内の信号である。ＲＦ信号２５からの情報は、送受信切り替え器２６、インピーダンスマッチングネットワーク２７を通り抜け、そして、受信チェーン２４を抜けることができる。信号２５は、低ノイズ増幅器（ＬＮＡ）２８で増幅され、変性インピーダンスネットワーク４００（ここでは「Ｚｄｅｇネットワーク）と呼ばれる）を通り抜けることができ、そして、ミキサ２９により周波数をダウンコンバートすることができる。ダウンコンバートされてもたらされる信号はベースバンドフィルタ３０によりフィルタすることができ、そして、デジタルベースバンド回路２３に通されることができる。デジタルベースバンド回路内のアナログ・デジタル・コンバータ３１は信号をデジタル形式に変換することができ、そして、もたらされるデジタル情報はデジタルベースバンド回路２３内のデジタル回路によって処理することができる。デジタルベースバンド回路２３は、ローカルオシレータ３３によってミキサ２９に供給されたローカルオシレータ信号（ＬＯ）３２の周波数をコントロールすることにより、受信機を調整できる。
【００１８】
もしセルラフォンが送信しているならば、今度は、デジタルベースバンド集積回路２３内のデジタル・アナログ・コンバータ３４によって、送信されるべき情報はアナログ形式に変換することができ、そして、送信チェーン３５に供給することができる。ベースバンドフィルタ３６は、デジタル・アナログ変換プロセスのために、ノイズを除去することができる。ローカルオシレータ３８のコントロール下のミキサブロック３７は、信号を高周波数信号にアップコンバートすることができる。ドライバ増幅器３９および外部電力増幅器４０は、アンテナ２１から高周波数ＲＦ信号４１が送信されるように、アンテナ２１を駆動するために、高周波数信号を増幅することができる。
【００１９】
図５は、受信チェーン２４に関しての路図の一例である。アンテナ２１で受信された到来ＲＦ信号２５は差動送受信切り替え器２６およびインピーダンスマッチングネットワーク２７を介して集積回路２２の差動入力ターミナル４２および４３に結合される。ＬＮＡ２８は、ＲＦ信号２５を増幅し、そして、ＶＲＦ＋出力リード４４およびＶＲＦ−出力リード４５からの差動信号を駆動することができる。ＶＲＦ＋出力リード４４は受動ミキサ２９の第１の差動入力リード４６に結合され、そして、ＶＲＦ−出力リード４５は受動ミキサ２９の第２の差動入力リード４７に結合されても構わない。受動ミキサ２９は能動ｇｍセルを含まなくても構わない。受動ミキサ２９は、二つのたすきがけの受動スイッチングコア４８および４９ならびにＺｄｅｇネットワーク５００を含むことができる。Ｚｄｅｇネットワーク５００は、ＬＮＡ２８の第１の出力リード４４および第１のスイッチングコア４８の第１の入力リード５４に、接続されている。Ｚｄｅｇネットワーク５００はまた、ＬＮＡ２８の第２の出力リード４５および第１のスイッチングコア４８の第２の入力リード５５に、接続されても構わない。さらに、Ｚｄｅｇネットワーク５００は、ＬＮＡ２８の第１の出力リード４４および第２のスイッチングコア４９の第１の入力リード５６に、接続されても構わない。さらなるコンフィギュレーションにおいては、Ｚｄｅｇネットワーク５００は、ＬＮＡ２８の第２の出力リード４５および第２のスイッチングコア４９の第２の入力リード５７に、接続されても構わない。
【００２０】
トランスインピーダンス増幅器（ＴＩＡ）ベースバンドフィルタ（ＴＩＡフィルタ）３０は、第１の部分（ＴＩＡフィルタのＩ−経路パート）および第２の部分（ＴＩＡフィルタのＱ−経路）を含んでも構わない。第１の部分は一対の差動信号Ｉ＋およびＩ−を差動出力リード５８および５９上に駆動する（drive）ことができる。増幅器シンボル９０ＡはＩ−経路トランスインピーダンス増幅器（ＴＩＡ）を表していても構わない。抵抗記号６０および６１は、ＴＩＡフィル３０の第１の部分（Ｉ−経路ＴＩＡフィルタ）のフィードバック抵抗ＲＴＩＡを表す。キャパシタ記号８０Ａおよび８０Ｂは、ＴＩＡフィルタ３０の第１の部分（Ｉ−経路ＴＩＡフィルタ）のフィードバック容量ＣＴＩＡを表す。ＴＩＡフィル３０の第１の部分は、第１の受動スイッチングコア４８の差動出力リード６２および６３から差動信号を受信できる。同様に、ＴＩＡフィル３０の第２の部分は、一対の差動信号Ｑ＋およびＱ−を差動出力リード６４および６５上に駆動する（drive）ことができる。増幅器記号９０ＢはＱ−経路トランスインピーダンス増幅器（ＴＩＡ）を表していても構わない。抵抗記号６６および６７は、ＴＩＡフィルタ３０（Ｑ−経路ＴＩＡフィルタ）の第２の部分のフィードバック抵抗ＲＴＩＡを表す。キャパシタ記号８０Ｃおよび８０Ｄは、ＴＩＡフィルタ３０（Ｑ−経路ＴＩＡフィルタ）の第２の部分のフィードバック容量ＣＴＩＡを表す。ＴＩＡフィル３０の第２の部分は、第２の受動スイッチングコア４９の差動出力リード６８および６９から差動信号を受信できる。トランスインピーダンス増幅器（ＴＩＡ）および抵抗／キャパシタ（ＲＴＩＡ／ＣＴＩＡ）ネットワークはＴＩＡフィルタの利得およびローパスフィルタリング特性を決定する。図５に示されるように、第１の受動スイッチングコア４８は四つの電界効果トランジスタ（ＦＥＴ）７０−７３を含むことができ、そして、第２の受動スイッチングコア４９はＦＥＴ７４−７７を含むことができる。
【００２１】
図６は、Ｚｄｅｇネットワーク６００のさらなるコンフィギュレーションを示すブロック図である。Ｚｄｅｇネットワーク６００は受信機の利得を調整するために使用されることができる。Ｚｄｅｇネットワーク６００は低ノイズ増幅器６０２（ＬＮＡ）とミキサ６１０との間に配置されることができる。第１のＲＦ信号６１２（例えば、ＲＦ＋）および第２のＲＦ信号６１４（例えば、ＲＦ−）（同相の経路）はＬＮＡ６０２から出力され、そして、Ｚｄｅｇネットワーク６００に入力されることができる。また、第１のＩ位相信号６１６（例えば、Ｉ＋）および第２のＩ位相信号６２０（例えばＩ−）（同相の経路）はＺｄｅｇネットワーク６００から出力され、そして、ミキサ６１０に入力されることができる。さらに、第１のＱ位相信号６１８（例えば、Ｑ＋）および第２の位相信号６２２（例えば、Ｑ−）（直交位相）はＺｄｅｇネットワーク６００から出力され、そして、ミキサ６１０に入力されることができる。
【００２２】
一例では、Ｚｄｅｇネットワーク６００は一つまたは複数のＺｄｅｇコンポーネントを含む。例えば、ネットワーク６００は一つまたは複数のＺｄｅｇ０ ６０４コンポーネントおよびＺｄｅｇ１ ６０６コンポーネントを含むことができる。また、ネットワーク６００は一つまたは複数のＺｄｅｇ２ ６０８コンポーネントを含むことができる。Ｚｄｅｇネットワーク６００のＺｄｅｇコンポーネント６０４，６０６，６０８は、受信機の利得を調整するために用いられることができる。Ｚｄｅｇネットワーク６００は、前に図５に示された受動ミキサコアに再構成されても構わない。
【００２３】
受動ミキサコアを再構成することにより受信機利得を変えることは、最先端のＳＡＷレス受信機においてローカルオシレータ（ＬＯ）信号の２５％デューティサイクルがダウンコンバートのために用いられた時に、受信機ＮＦへのＴＩＡノイズ寄与は、ひとまとめにした他の受信機ノイズ寄与よりも大きくなる可能性がある。再構成されたシャントミキサ経路を通して受信されたＲＦ信号の一部を流すこと（bleeding）により、受信機利得がステップダウンされると、受信機出力ノイズへのＴＩＡノイズの寄与は増加する可能性がある。この例では、ミキサシャント経路の小さいＯＮインピーダンスに反比例していることで、ＴＩＡノイズから受信機出力への利得は大きい。受信機利得が減少される事およびＴＩＡノイズが増加される事の両方が原因で、システムがＮＦ要求を満たさなくなる程度にまで受信機雑音指数は下がる可能性がある。インピーダンス変性をＺｄｅｇネットワーク６００を介して受動ミキサコアに適用するることは、受信機利得を下げた時に、受信機ＮＦへのＴＩＡノイズ寄与の減少を可能とする。しかしながら、ＬＮＡの出力で生成されたより大きなインピーダンスの結果として、受信機のトリプル−ビート（triple-beat）性能が劣化する可能性がある。ネットワーク６００によって提供されるように、ＴＩＡ提供によって見られるより大きなインピーダンス（つまり、ノイズ寄与の低減）およびＬＮＡによって見られるより小さなインピーダンス（優良な線形性がサポートされること）に対しては、受信機ＮＦと電圧利得との間の最適のトレードオフは、他の受信機性能を悪くすることなく、達成される可能性がある。Ｚｄｅｇネットワーク６００は、図７−９に示される抵抗性、容量性またはスイッチ ネットワークを用いることにより実施しても構わない。
【００２４】
システム雑音指数／利得／線形性要求に従って、抵抗／キャパシタ／スイッチ ネットワーク パラメータをサイズイング（sizing）することにより、異なる受信機利得モードが実施されても構わない。例えば、以下の図１２に示されるスイッチ調整ネットワークを用いることにより、たった１．７ｄＢの雑音指数に対して９ｄＢの電圧利得がトレードされる。Ｚｄｅｇネットワーク６００の実施（implementation）はマルチモード受信機に利点を提供することができる。例えば、受信機電圧利得とＴＩＡノイズ寄与との間の受諾できるトレードオフが達成されることができる。他の利点は、受信機雑音指数と電圧利得との間の受諾できるトレードオフを提供することである。加えて、ＬＮＡによって見られる所望のより低いインピーダンスとＴＩＡによって見られるより高いインピーダンスとの間の受諾できるトレードオフが達成されることができる。さらに、シャント利得調整ネットワーク経路がＩおよびＱ受信機信号チャネルとの間で共有されるので、より少ない数のコンポーネントが用いられることができる。
【００２５】
図６に戻ると、受信機の線形利得は、式（１）によって与えられる変性インピーダンス利得調整ネットワーク（２５％ＬＯデューティサイクルを仮定）により、おおよそスケールされることができる。
【数１】
2011530242.tif 000003
【００２６】
Ｚdeg0およびＺdeg1は変性インピーダンスを表し、ＺLNAは図６に示された低ノイズ増幅器（ＬＮＡ）の出力差動インピーダンスを表している。例えば、Ｚdeg0＝∞（例えば、Ｚｄｅｇ枝のスイッチングトランジスタをターンオフすることにより引き起こすことができる）、Ｚdeg1＝ＺLNA／４、そして、Ｚdeg2＝ＺLNA／２に設定することにより、受信機の電圧利得は約ファクト２（つまり、６ｄＢ）にスケールダウンされることができる。
【００２７】
図７−９は、Ｚｄｅｇネットワーク６００に利用できるＺｄｅｇコンポーネント６０４，６０６，６０８のいくつかの例を示している。示された各事例において、左側の第１のリード１００は、ＬＮＡ２８に結合されたＺｄｅｇネットワーク６００の一部であるＺｄｅｇインピーダンス要素（element）６０４，６０６，６０８のリードである。右側の第２のリード１０１は、スイッチングコア４８に結合されたＺｄｅｇネットワーク６００内のＺｄｅｇインピーダンス要素６０４，６０６，６０８のリードとすることができる。
【００２８】
一例では、Ｚｄｅｇ要素（element）７０２はトランジスタを組み込んでいるスイッチ要素を示す。別のコンフィギュレーションでは、Ｚｄｅｇ要素８０２はトランジスタに結合された抵抗を組み込んでいる抵抗要素である。さらに、Ｚｄｅｇ素子９０２はトランジスタに結合されたキャパシタを含んでいる容量要素である。Ｚｄｅｇe要素７０２，８０２，９０２内のさまざまな寸法のトランジスタは、受信機の利得をコントロールするためにオンオフされる（switched）ことができる。トランジスタをオンオフすること（switching）により、システムは、特定のＺｄｅｇ要素またはＺｄｅｇネットワークの枝をターンオンおよび／またはターンオフする。
【００２９】
図１０は、受信機内のＬＮＡ１００２とミキサ１０１０との間のＺｄｅｇネットワークのコンフィギュレーションを示すブロック図である。一例では、Ｚｄｅｇネットワーク１０００は抵抗性Ｚｄｅｇ要素（図８に示されているように）を含む。抵抗性Ｚｄｅｇ要素は、Ｚｄｅｇ０ ６０４、Ｚｄｅｇ１ ６０６および／またはＺｄｅｇ２ ６０８とすることができる。示されるように、さまざまなインピーダンス要素が直列または並列に置くことができる。受信機の利得は、Ｚｄｅｇネットワーク１０００内の一つまたは複数のトランジスタをオンオフすることにより変えられることができる。
【００３０】
図１１は、受信機内のＬＮＡ１１０２とミキサ１１１０との間のＺｄｅｇネットワーク１１００の別のコンフィギュレーションを示すブロック図である。一例では、Ｚｄｅｇネットワーク１１００は容量性Ｚｄｅｇ要素（図９に示されているように）を含む。容量性Ｚｄｅｇ要素は、Ｚｄｅｇ０ ６０４、Ｚｄｅｇ１ ６０６および／またはＺｄｅｇ２ ６０８とすることができる。示されるように、さまざまなインピーダンス要素が直列または並列に置くことができる。受信機の利得は、Ｚｄｅｇネットワーク１１００内の一つまたは複数のトランジスタをオンオフすることにより変えられることができる。
【００３１】
図１２は、受信機内のＬＮＡ１２０２とミキサ１２１０との間のＺｄｅｇネットワーク１２００のさらに別のコンフィギュレーションを示すブロック図である。一例では、Ｚｄｅｇネットワーク１２００はスイッチイングＺｄｅｇ要素（図７に示されているように）を含む。スイッチングＺｄｅｇ要素は、Ｚｄｅｇ０ ６０４、Ｚｄｅｇ１ ６０６および／またはＺｄｅｇ２ ６０８とすることができる。示されるように、さまざまなインピーダンス要素が直列または並列に置くことができる。受信機の利得は、Ｚｄｅｇネットワーク１２００内の一つまたは複数のトランジスタをオンオフすることにより変えられることができる。
【００３２】
図１３は、受信機の利得を調整するための方法１３００の一例を示すフロー図である。利得は、前に説明したインピーダンス変性ネットワーク５００（Ｚｄｅｇネットワーク）を用いることにより調整されることができる。一例では、変性インピーダンス利得調整ネットワークが提供されることができる１３０２。前記ネットワークは低ノイズ増幅器（ＬＮＡ）と受動スイッチングコア（ＰＳＣ）との間に提供されることができる。一コンフィギュレーションでは、トランスインピーダンス増幅器フィルタ（transimpedance amplifier filter）（ＴＩＡ−フィルタ）が提供されることができる１３０４。ＴＩＡフィルタは、ＰＳＣにより出力される信号を増幅するために結合されることができる。加えて、受信機の利得は調整されることができる１３０６。利得は必要に応じて一つまたは複数のトランジスタをオンオフすることにより調整されることができる１３０６。一つまたは複数のトランジスタは変性インピーダンス利得調整ネットワーク内にあることができる。示されるように、受信機が使用中または動作中の間に、受信機の利得は連続的に調整されることができる。
【００３３】
上述の図１３の方法は、図１４に示されたミーンズ・プラス・ファンクションのブロックに対応する、さまざまなハードウエアおよび／またはソフトウエアコンポーネント（単数または複数）および／またはモジュール（単数または複数）により行われることができる。言い換えれば、図１３に示されたブロック１３０２から１３０６は、図１４に示されたミーンズ・プラス・ファンクションのブロック１４０２から１４０６に対応する。
【００３４】
図１５は、無線デバイス１５０２において利用されることができるさまざまなコンポーネントを示している。無線デバイス１５０２は、本明細書で述べられたさまざまな方法を実施するために構成されることができるデバイスの一例である。無線デバイス１５０２は遠隔ステーションでも構わない。
【００３５】
無線デバイス１５０２は、無線デバイス１５０２の動作をコントロールするプロセッサ１５０４を含むことができる。プロセッサ１５０４は中央演算処理装置（ＣＰＵ）と呼ばれることもある。メモリ１５０６は、読み出し専用メモリ（ＲＯＭ）およびランダムアクセスメモリ（ＲＡＭ）の両方を含んでも構わなく、プロセッサ１５０４に指令およびデータを提供する。メモリ１５０６の一部はまた不揮発性ランダムアクセスメモリ（ＮＶＲＡＭ）を含んでも構わない。プロセッサ１５０４は、典型的には、メモリ１５０６内に記憶されたプログラム指令に基づいて、論理的および算術的な動作を行う。メモリ１５０６内の指令は本明細書で述べた方法を実施するために実行されるがことができる。
【００３６】
無線デバイス１５０２はまた無線デバイス１５０２とリモート位置（remote location）との間のデータの送信および受信を可能とする送信機１５１０および受信機１５１２を筐体（housing）１５１８を含むことができる。送信機１５１０および受信機１５１２は送受信機１５１４にコンバインされることができる。アンテナ１５１６は筐体１５０８に取り付けられ、そして、送受信機１５１４に電気的に結合されることができる。無線デバイス１５０２はまたマルチプル送信機、マルチプル受信機、マルチプル送受信機および／またはマルチプルアンテナ（不図示）を含むことができる。
【００３７】
無線デバイス１５０２はまた送受信機１５１４により受信された信号のレベルを検出して定量化するために用いられることができる信号検出器１５１８を含むことができる。信号検出器１５１８は、全エネルギー、擬似ノイズ（ＰＮ）チップ当たりのパイロットエネルギー、パワースペクトル密度としての信号および他の信号を検出することが可能である。信号検出器１５１８はまた信号を処理するためのデジタル信号プロセッサ（ＤＳＰ）を含むことができる。
【００３８】
無線デバイス１５０２のさまざまなコンポーネントは、データバスに加えて、パワーバス、コントロール信号バスおよびステータス信号バスを含むことが可能なバスシステム１５２２によって結合されても構わない。しかし、明快性のために、さまざまなバスはバスシステム１５２２として図１５では示されている。
【００３９】
ここで用いられているように、用語“決定すること（determining）”はさまざまな行動（action）を包含しており、そして、したがって、“決定すること（determining）”は計算すること（calculating）、算出すること（computing）、処理すること（processing）、導出すること（deriving）、調査すること（investigating）、調べること（looking up）（例えば、テーブル、データベースまたは別のデータ構造を調べること）、確かめること（ascertaining）などを含むことができる。また、“決定すること（determining）”は、受信すること（receiving）（例えば、情報を受信すること）、アクセスすること（accessing）（例えば、メモリ内のデータにアクセスすること）などを含むことができる。また、“決定すること（determining）”は、解決すること（resolving）、選択すること（selecting）、確立すること（establishing）などを含むことができる。
【００４０】
用語“基づく（based on）”は、明確に特定していないのであれば、“だけに基づく（based only on）”を意味するのではない。言い換えれば、用語“基づく（based on）”は、“だけに基づく（based only on）”および“少なくとも基づく（based at least on）”の両方を表現している。
【００４１】
本開示に関連して記載されたさまざまな例示の論理ブロック、モジュールおよび回路は、ここにおいて説明された機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、他のプログラマブルロジックデバイス、ディスクリートゲートまたはトランジスタロジック、ディスクリートハードウエアコンポーネントまたはそれらの組合せを用いて実施または行われることができる。汎用プロセッサは、マイクロプロセッサとすることができるが、代替案においては、プロセッサは、商用の任意のプロセッサ、コントローラ、マイクロコントローラ、または状態マシーンとすることもできる。プロセッサはまた、コンピューティングデバイスの組合せとして、例えば、ＤＳＰとマイクロプロセッサとの組合せ、複数のマイクロプロセッサ、ＤＳＰコアと組み合わされた１つまたは複数のマイクロプロセッサ、あるいは他の適切な任意のコンフィギュレーションとして実施されることもできる。
【００４２】
ここにおいて開示される態様に関連して説明される方法またはアルゴリズムについてのステップは、ハードウェアの形で直接に、プロセッサによって実行されるソフトウェアモジュールの形で、あるいはそれら２つの組合せの形で実施されることができる。ソフトウエアモジュールは従来知られている如何なる形態の記憶媒体内にも存在することができる。用いられることができる記憶媒体のいくつかの例は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどを含む。ソフトウエアモジュールは、単一の（single）命令または多数の命令を具備することができ、そして、異なるプログラム（programs）の中（among）に、かつ、複数の記憶媒体にまたがっている（acrooss）、いくつかの異なるコードセグメント上に分散されても構わない。記憶媒体は、プロセッサが記憶媒体から情報を読み出し、かつ、記憶媒体に情報を書き込むことができるように、プロセッサに結合されても構わない。別の方法では、記憶媒体はプロセッサに統合されていても構わない。
【００４３】
ここに開示された方法は、記載された方法を達成するための一つまたは複数のステップまたはアクションを具備している。方法のステップおよび／またはアクションは、特許請求の範囲の範囲を逸脱することなく、互いに交換可能である。言い換えれば、特定の順番のステップまたはアクションが明確に指定されていなければ、特定のステップおよび／またはアクションの順番および／または使用は、特許請求の範囲の範囲を逸脱することなく、変更可能である。
【００４４】
述べられた機能は、ハードウェハ、ソフトウエア、ファームウェアまたはそれらの如何なる組合せにおいて実施できる。もしソフトウエアで実施されならば、機能はコンピュータ読取り可能媒体上に一つまたは複数の指令として記憶されることができる。コンピュータ読取り可能媒体は、コンピュータによりアクセスされることができる如何なる利用できる媒体とすることができる。例として、限定するものではないが、コンピュータ読取り可能媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、または、命令もしくはデータ構造の形態で望ましいプログラムコードを搬送し、または記憶するために使用されることができ、そしてコンピュータによってアクセスされることができる他の任意の媒体を具備することができる。ここにおいて使用されるようなディスク(Disk)およびディスク(disc)は、コンパクトディスク（ＣＤ）、レーザーディスク（登録商標）、光ディスク、デジタル多用途ディスク（ＤＶＤ）、フロッピディスク、およびＢｌｕ−ｒａｙ（登録商標）を含み、ここでディスク(disks)は通常、データを磁気的に再生するが、ディスク(discs)は、レーザを用いて光学的にデータを再生する。
【００４５】
ソフトウエアまたは命令はまた伝送媒体上に送信されても構わない。例えば、ソフトウェアが、同軸ケーブル、光ファイバケーブル、ツイストペア(twisted pair)、デジタル加入者回線（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、伝送媒体の定義の中に含まれる。
【００４６】
さらに、図１５に示される方法および技術のような、本明細書で述べられた方法および技術を行うためのモジュールおよび／または他の適当な手段は、規定どおりに携帯デバイスおよび／または基地局により、ダウンロードおよび／または別のやり方で取得されることができると認識されるべきである。例えば、そのようなデバイスは、本明細書で述べられた方法を行うための手段の転送を容易にするためのサーバーに結合されることができる。あるいは、本明細書で述べられたさまざまな方法は、記憶手段をデバイスに結合または提供すると携帯デバイスおよび／または基地局がさまざまな方法を取得できるように、記憶手段（例えば、ランダムアクセスメモリ（ＲＡＭ）、読み出し専用メモリ（ＲＯＭ）、コンパクトディスク（ＣＤ）またはフロッピディスクなどのような物理的記憶媒体）を介して提供されることができる。さらに、本明細書で述べられた方法および技術をデバイスに提供するための如何なる他の適切な技術は利用されることができる。
【００４７】
請求項は、上記に示された厳密なコンフィギュレーションおよびコンポーネントだけに限定されないと理解されるべきである。本明細書で述べられたシステムの配置、動作および詳細、方法、および、装置は、特許請求の範囲を逸脱することなく、さまざまな修正、変更および変形を行うことが可能である。
【図１】
2011530242.tif 000004
【図２】
2011530242.tif 000005
【図３】
2011530242.tif 000006
【図４】
2011530242.tif 000007
【図５】
2011530242.tif 000008
【図６】
2011530242.tif 000009
【図７】
2011530242.tif 000010
【図８】
2011530242.tif 000011
【図９】
2011530242.tif 000012
【図１０】
2011530242.tif 000013
【図１１】
2011530242.tif 000014
【図１２】
2011530242.tif 000015
【図１３】
2011530242.tif 000016
【図１４】
2011530242.tif 000017
【図１５】
2011530242.tif 000018
【国際調査報告】
2011530242.tif 000019
2011530242.tif 000020
2011530242.tif 000021